(57)【要約】【課題】先行車に後続する自車の誤発進を効果的に防止できる誤発進防止装置を提供する。【解決手段】自車の位置データを取得するＧＰＳ受信部１３と、自車のシフトレバーのポジションデータ、ブレーキペダルの操作データ、アクセルペダルの操作データを含む自車データを取得する自車データ取得部１５と、先行車との間で車車間通信を行い、先行車の位置データ、ブレーキペダルの操作データ、パーキングブレーキの操作データを含む先行車データを取得する車車間通信部１１と、車車間通信部１１で取得した先行車データが先行車の停車を示し、かつ、自車データ取得部１５で取得した自車データが自車の発進を示す場合に、誤発進であると判定する誤発進判定部１６と、誤発進判定部１６で誤発進であると判定された場合にその旨をドライバに警告するドライバ警告部１７と、を備えた。【選択図】図１
2015176372.tif 000002
【特許請求の範囲】
【請求項１】
自車の位置データを取得する位置データ取得部と、
自車のシフトレバーのポジションデータ、ブレーキペダルの操作データ、アクセルペダルの操作データを含む自車データを取得する自車データ取得部と、
先行車との間で車車間通信を行い、前記先行車の位置データ、ブレーキペダルの操作データ、パーキングブレーキの操作データを含む先行車データを取得する車車間通信部と、
前記車車間通信部で取得した先行車データが先行車の停車を示し、かつ、前記自車データ取得部で取得した自車データが自車の発進を示す場合に、誤発進であると判定する誤発進判定部と、
前記誤発進判定部で誤発進であると判定された場合にその旨をドライバに警告するドライバ警告部と、
を備えたことを特徴とする車両用誤発進防止装置。
【請求項２】
道路に設置された機器との間で路車間通信を行い、自車の進行方向つぎの信号機の信号データを含む道路データを取得する路車間通信部をさらに備え、
前記誤発進判定部は、前記路車間通信部で取得した自車の進行方向つぎの信号機の信号データが停車信号を示し、かつ、前記自車データ取得部で取得した自車データが自車の発進を示す場合に誤発進であると判定することを特徴とする請求項１に記載の車両用誤発進防止装置。
【請求項３】
前記誤発進判定部は、前記車車間通信部で取得した先行車データが先行車の発車を示し、かつ、前記路車間通信部で取得した自車の進行方向の信号機の信号データが停車信号を示した場合に、前記先行車の発車よりも前記停止信号を優先することを特徴とする請求項２に記載の車両用誤発進防止装置。
【請求項４】
前記誤発進判定部で誤発進であると判定された場合に自車の発進を抑制する発進抑制部をさらに備えたことを特徴とする請求項１〜３のいずれか一項に記載の車両用誤発進防止装置。
【発明の詳細な説明】
【技術分野】
【０００１】
本発明は、車両の誤発進を防止するための車両用誤発進防止装置に関する。
【背景技術】
【０００２】
自車のシフトレバーのポジションデータ、ブレーキペダルの操作データ、アクセルペダルの操作データを含む自車データを取得する自車データ取得部と、自車の前後に存在する障害物の存在方向データと距離データとを取得する距離データ取得部と、シフトレバーのポジションと障害物の存在方向と距離を基に誤発進予防のための判断類型を設定する危険度推定部と、自車データ取得部で取得されたシフトレバーのポジションデータ、距離データ取得部で取得された障害物の存在方向データと距離データとが示す現在の判断類型が基本予防対象類型に該当しているか否かを判定する予防対象類型該当判定部と、現在の判断類型が基本予防対象類型に該当している場合にアクセルペダルの踏下量に対するスロットルバルブの開度の増加率を通常時よりも縮小し、アクセルを踏み込んでもスロットルバルブが大きく開かないようにする誤発進予防出力部と、を備えた車両用誤発進防止装置が提案されている（例えば、特許文献１参照）。
【先行技術文献】
【特許文献】
【０００３】
【特許文献１】特開２０１０−２３７６９号公報
【発明の概要】
【発明が解決しようとする課題】
【０００４】
ところで、交差点に設けられた信号機が赤信号（停止信号）の場合には交差点の手前で停止することになるが、信号機から自車までの間に停車した自動車が多い場合やこれらの自動車にトラックが含まれる場合には信号を確認することができない。この場合には、先行車のブレーキランプの消灯を目安に発進することになるが、先行車の中には、シフトレバーのポジションをニュートラルにするとともに、パーキングブレーキを操作し、停止状態を維持するものもいる。かかる場合には、ブレーキランプの消灯を目安に発進すると誤発進となり、最悪の場合には先行車に追突することになる。
しかしながら、上述した特許文献１に記載された車両用誤発進防止装置は、現在の判断類型が基本予防対象類型に該当する場合にアクセルペダルを踏み込んでもスロットルバルブが大きく開かないようにするので、先行車に後続する自車が交差点に適切な速度で進入することができない。これにより、交差点の手前で停止している自動車が特許文献１に記載された車両用誤発進防止装置を作動させることはできない。
本発明は、上記実情を鑑みたものであり、先行車に後続する自車の誤発進を効果的に防止できる車両用誤発進防止装置を提供することを目的とする。
【課題を解決するための手段】
【０００５】
本発明は、自車の位置データを取得する位置データ取得部と、自車のシフトレバーのポジションデータ、ブレーキペダルの操作データ、アクセルペダルの操作データを含む自車データを取得する自車データ取得部と、先行車との間で車車間通信を行い、前記先行車の位置データ、ブレーキペダルの操作データ、パーキングブレーキの操作データを含む先行車データを取得する車車間通信部と、前記車車間通信部で取得した先行車データが先行車の停車を示し、かつ、前記自車データ取得部で取得した自車データが自車の発進を示す場合に、誤発進であると判定する誤発進判定部と、前記誤発進判定部で誤発進であると判定された場合にその旨をドライバに警告するドライバ警告部と、を備えたことを特徴とする。
本発明によれば、車車間通信部で取得した先行車データが先行車の停車を示し、かつ、自車データ取得部で取得した自車データが自車の発進を示す場合に、誤発進であると判定し、その旨をドライバに警告するので、先行車に後続する自車の誤発進を効果的に防止できる。
【０００６】
本発明の一態様では、道路に設置された機器との間で路車間通信を行い、自車の進行方向つぎの信号機の信号データを含む道路データを取得する路車間通信部をさらに備え、前記誤発進判定部は、前記路車間通信部で取得した自車の進行方向つぎの信号機の信号データが停車信号を示し、かつ、前記自車データ取得部で取得した自車データが自車の発進を示す場合に誤発進であると判定する。
このようにすれば、路車間通信部で取得した自車の進行方向つぎの信号機の信号データが停車信号を示し、かつ、自車データ取得部で取得した自車データが自車の発進を示す場合に誤発進であると判定し、その旨をドライバに警告するので、先行車に後続する自車の誤発進を効果的に防止できる。
【０００７】
本発明の一態様では、前記誤発進判定部は、前記車車間通信部で取得した先行車データが先行車の発車を示し、かつ、前記路車間通信部で取得した自車の進行方向の信号機の信号データが停車信号を示した場合に、前記先行車の発車よりも前記停止信号を優先する。
このようにすれば、先行車の発車よりも停止信号を優先することになり、先行車が誤発進した場合でも自車が誤発進しなくて済む。これに先行車に後続する自車の誤発進を効果的に防止できる。
【０００８】
本発明の一態様では、前記誤発進判定部で誤発進であると判定された場合に自車の発進を抑制する発進抑制部をさらに備える。
このようにすれば、誤発進判定部で誤発進であると判定された場合に自車の発進を抑制するので、先行車に後続する自車の誤発進を効果的に防止できる。
【発明の効果】
【０００９】
本発明によれば、車車間通信部で取得した先行車データが先行車の停車を示し、かつ、自車データ取得部で取得した自車データが自車の発進を示す場合に、誤発進であると判定し、その旨をドライバに警告するので、先行車に後続する自車の誤発進を効果的に防止できる。
【図面の簡単な説明】
【００１０】
【図１】本発明の実施の形態である車両用誤発進防止装置の制御構成を示すブロック図である。
【図２】本発明の実施の形態である車両用誤発進防止装置の制御手順を示すフローチャートである。
【図３】先行車と後続車（自車）との関係を示す模式図である。
【発明を実施するための形態】
【００１１】
以下に添付図面を参照して、本発明に係る車両用誤発進防止装置の好適な実施の形態を詳細に説明する。尚、この実施の形態により、この発明が限定されるものではない。
図１は、本発明の実施の形態である車両用誤発進防止装置の制御構成を示すブロック図であり、図２は、図１に示した車両用誤発進防止装置の制御手順を示すフローチャートである。また、図３は、先行車と後続車（自車）との関係を示す模式図である。
【００１２】
図３に示すように、本発明の実施の形態である車両用誤発進防止装置１は、自車１００の誤発進を防止するためのもので、自車１００に設置される。
図１に示すように、本発明の実施の形態である車両用誤発進防止装置１は、車車間通信部１１、先行車判定部１２、ＧＰＳ受信部１３、路車間通信部１４、自車データ取得部１５、誤発進判定部１６、ドライバ警告部１７、発進抑制部１８を備えて構成される。
【００１３】
車車間通信部１１は、自車１００のまわり位置する他車２００との間で車両データを逐次取得するためのものである。本発明の実施の形態である車両用誤発進防止装置１の車車間通信部１１は、図３（ｃ）に示すように、自車１００と自車１００に先行する車両（先行車）２００，３００とが停車した場合に停車した先行車２００，３００のうち、車車間通信装置Ｒを搭載した先行車２００から運転データを逐次取得する。尚、本実施の形態において、先行車２００，３００は、自車１００の直前を走行する車両２００に限られるものではなく、少なくとも信号機Ｓが赤信号（停車信号）で停車した場合に信号機Ｓと自車１００との間に挟まれる車両２００，３００が含まれる。
【００１４】
先行車２００から取得可能な運転データには、少なくとも、先行車２００の位置データ、ブレーキペダルの操作データ（オン／オフ）、パーキングブレーキの操作データ（オン／オフ）が含まれる。
【００１５】
先行車判定部１２は、図３（ｃ）に示すように、自車１００と自車１００に先行する先行車２００，３００とが停車した場合に先行車２００，３００が停車を継続するか否かを判定するためのものである。先行車判定部１２は、車車間通信装置Ｒを搭載した先行車２００から逐次取得した運転データを基に判定する。これにより、信号機Ｓが赤信号で停車した場合に信号機Ｓと自車１００との間に挟まれる先行車２００，３００のうち、車車間通信装置Ｒを搭載したすべての車両２００について停車を継続するか否かが判定される。尚、車車間通信装置Ｒを搭載しない先行車３００については停車を継続するか否か判定されない。
【００１６】
例えば、図３（ｃ）に示すように、信号機Ｓが赤信号で停車した場合に信号機Ｓと自車１００との間に複数の車両２００，３００が挟まれる場合には、複数の車両２００，３００のうち車車間通信装置Ｒを搭載したすべての車両２００から運転データを取得する。そして、車車間通信装置Ｒを搭載した車両２００が複数ある場合には、車車間通信装置Ｒを搭載した車両２００から取得した運転データに含まれる位置データを基に並び順を特定する。つぎに、運転データに含まれるブレーキペダルの操作データ、パーキングブレーキの操作データを基に停車を継続するか否かを車両２００ごとに判定する。具体的には、ブレーキペダル、パーキングブレーキの少なくとも一方がオンの場合には停車を継続すると判定し、ブレーキペダル、パーキングブレーキの両方がオフの場合には停車を継続しないと判定する。以後、自車１００が発進するまでこれを繰り返すことにより、先行車２００が停車を継続するか否かについて最新の状態を判定する。
【００１７】
ＧＰＳ受信部１３は、自車１００の位置を特定するためのデータ（衛星からの信号）を受信するためのもので、ＧＰＳ受信部１３は受信したデータにより自車１００の位置を特定する。
【００１８】
路車間通信部１４は、自車１００が走行する道路に設置された路側機（道路情報提供機器）Ｄから交通情報を逐次取得するためのものである。本発明の実施の形態である車両用誤発進防止装置１の路車間通信部１４は、少なくとも自車１００の進行方向の道路データを逐次取得する。
【００１９】
路側機Ｄから取得可能な道路データには、すくなくとも自車１００の進行方向つぎの交差点の信号機Ｓの信号データが含まれる。信号データには、信号の別（赤信号（停車信号）、青信号（走行許可信号）、黄信号（注意信号））のほか、信号のサイクルや信号が切り替わるまでの時間が含まれる。
【００２０】
自車データ取得部１５は、自車１００の車両データを取得するためのものである。本発明の実施の形態である自車データ取得部１５は、少なくとも自車１００の運転データを逐次取得する。自車１００の運転データには、自車１００のシフトレバーのポジションデータ（走行／ニュートラル／パーキング／後退）、ブレーキペダルの操作データ（オン／オフ）、アクセルペダルの操作データ（オン／オフ）、パーキングブレーキの操作データ（オン／オフ）が含まれる。したがって、自車データ取得部１５は、自車１００が停車を継続する場合にシフトレバーのポジションデータがパーキング、あるいは、ブレーキペダルの操作データがオンとなる運転データを取得する。同様に、自車データ取得部１５は、自車１００が発進する場合にシフトレバーのポジションデータが走行、かつ、ブレーキペダルの操作データがオフとなる運転データを取得する。
【００２１】
誤発進判定部１６は、自車１００の発進が誤発進であるか否かを判定するためのものである。図１に示すように、誤発進判定部１６には、上述した先行車判定部１２、ＧＰＳ受信部１３、路車間通信部１４、自車データ取得部１５が接続される。
【００２２】
誤発進判定部１６は、まず、先行車判定部１２の判定結果と自車データ取得部１５で取得された自車データとに基づいて誤発進を判定する。具体的には、自車１００に先行する先行車２００，３００のうち車車間通信装置Ｒを搭載した自車の直前の先行車２００が停車を継続すると判定され、かつ、自車１００の運転データが自車１００の発進を示す場合に誤発進と判定する。すなわち、車車間通信装置Ｒを搭載した自車の直前の先行車２００が停車を継続すると判定され、かつ、自車データ取得部１５で取得された運転データに含まれるシフトレバーのポジションデータが走行、かつ、ブレーキペダルの操作データがオフを示す場合に誤発進と判定する。
【００２３】
誤発進判定部１６は、つぎに、路車間通信部１４で取得された道路データと自車データ取得部１５で取得された自車データとに基づいて誤発進を判定する。具体的には、自車１００の進行方向つぎの信号機Ｓの信号データが赤信号を示し、かつ、自車１００の運転データが自車１００の発進を示す場合に誤発進と判定する。すなわち、自車１００の進行方向つぎの信号機Ｓの信号データが赤信号を示し、かつ、自車データ取得部１５で取得され運転データに含まれるシフトレバーのポジションデータが走行、かつ、ブレーキペダルの操作データがオフと示す場合に誤発進と判定する。
【００２４】
ドライバ警告部１７は、誤発進判定部１６が誤発進と判定した場合に誤発進である旨をドライバに警告するためのものである。具体的には、誤発進判定部１６が誤発進と判定した場合に自車１００の車室内に設けられたスピーカ１０１に誤発進である旨を意味する警告音を出力し、または、自車１００の車室内に設けられたディスプレイ１０２に誤発進である旨を意味する警告表示を出力する。
【００２５】
発進抑制部１８は、誤発進判定部１６が誤発進と判定した場合に自車１００の発進を抑制するためのものである。具体的には、誤発進判定部１６が誤発進と判定した場合に自車のブレーキ１０３をオンとし、自車１００の制動力を高め、または、スロットル１０４の開度を制限し、自車１００の発進力を抑制する。
【００２６】
図２に示すように、上述した車両用誤発進防止装置１は、自車１００と自車１００に先行する先行車２００，３００とが停車した場合に、まず、車車間通信を開始する（ステップＳ１）。したがって、図３（ｃ）に示すように、信号機Ｓが赤信号で停止した場合には、信号機Ｓと自車１００との間に挟まれる車両（先行車）２００，３００のうち、車車間通信装置Ｒを搭載したすべての先行車２００から運転データを逐次取得する。また、図示しないが、渋滞で停車した場合には、自車の前方所定範囲の車両（先行車）のうち、車車間通信装置を搭載したすべての先行車から運転データを逐次取得する。
【００２７】
つぎに、車両用誤発進防止装置１は、路車間通信を開始する（ステップＳ２）。したがって、信号機Ｓが赤信号で停車した場合には、自車１００が走行する道路に設置された路側機Ｄから道路データを逐次取得する。
【００２８】
そして、車車間通信部１１において、自車１００に先行する先行車２００から運転データを取得できた場合（ステップＳ３：ＹＥＳ）には、先行車判定部１２において先行車２００が停車を継続するか否かを判定する（ステップＳ４）。
【００２９】
一方、車車間通信部１１において、自車１００に先行する先行車２００が車車間通信装置Ｒを搭載していない場合等、自車１００に先行する先行車２００から運転データを取得できない場合（ステップＳ３：ＮＯ）であっても、路車間通信部１４において、路側機Ｄから道路データを取得できた場合（ステップＳ５）には、誤発進判定部１６において自車１００の進行方向つぎの信号機Ｓが赤信号であるか否かを判定する（ステップＳ６）。
【００３０】
また、先行車判定部１２において先行車２００が停車を継続しない場合（ステップＳ４：ＮＯ）でも、路車間通信部１３において、路側機Ｄから道路データを取得し（ステップＳ５）、誤発進判定部１６において自車の進行方向つぎの信号が赤信号であるか否かを判定する（ステップＳ６）。
【００３１】
そして、先行車判定部１２で車車間通信装置Ｒを搭載した自車１００の直前の先行車２００が停車を継続すると判定され（ステップＳ４：ＹＥＳ）、かつ、自車データ取得部１５で取得した自車１００の運転データが自車の発進を示す場合（ステップＳ７：ＹＥＳ）には、誤発進判定部１６が誤発進と判定する。また、路車間通信部１４で取得した自車１００の進行方向つぎの信号が赤信号と判定され（ステップＳ６：ＹＥＳ）、かつ、自車データ取得部１５で取得した自車１００の運転データが自車１００の発進を示す場合（ステップＳ７：ＹＥＳ）には、誤発進判定部１６が誤発進と判定する。
【００３２】
そして、誤発進判定部１６が誤発進と判定した場合には、ドライバ警告部１７から自車１００の車室内に設けられたスピーカ１０１に誤発進である旨を意味する警告音を出力するとともに、自車１００の車室内に設けられたディスプレイ１０２に誤発進である旨を意味する警告表示を出力する。また、同時に、発進抑制部１８から自車１００のブレーキ１０３をオンとし、自車１００の制動力を高めるとともに、スロットル１０４を閉じ、自車１００の発進力を抑制する。
【００３３】
例えば、図３（ａ）に示すように、トラック等の先行車２００が停車すると先行車２００に後続する自車１００も同様に停車する。このとき、自車１００のドライバは信号機Ｓの信号を視認することはできないが、先行車２００のブレーキランプが点灯しているので、自車１００のドライバは先行車２００のブレーキランプの消灯を目安に発進することができる。
【００３４】
ところが、ここで、トラック等の先行車２００のドライバがシフトレバーをニュートラルに移動させ、パーキングブレーキをオンにし、ブレーキペダルをオフにすることがある。この場合には図３（ｂ）に示すように、先行車２００のブレーキランプが消灯するので、自車１００のドライバは信号機Ｓの信号が赤信号から青信号に変わったと誤認することがある。
【００３５】
この場合でも、本実施の形態である車両用誤発進防止装置１が設置されているので、車車間通信部１１で取得した先行車２００の運転データが先行車２００の停止を示し、かつ、自車データ取得部１５で取得した自車データが自車１００の発進を示す場合には、誤発進であると判定し、その旨をドライバに警告し、自車１００の発進を抑制する。これにより、自車１００の誤発進が効果的に防止される。
【００３６】
また、先行車２００が車車間通信装置Ｒを搭載していない場合でも、路車間通信部１４で路側機Ｄから取得した自車１００の進行方向つぎの信号機Ｓの信号データが赤信号を示し、かつ、自車データ取得部１５で取得した自車データが自車１００の発進を示す場合には、誤発進であると判定し、その旨をドライバに警告し、自車１００の発進を抑制する。これにより、自車１００の誤発進が効果的に防止できる。
【００３７】
また、車車間通信部１１で取得した先行車２００の運転データが先行車２００の発車を示し、路車間通信部１４で取得した自車１００の進行方向つぎの信号機Ｓの信号データが赤信号を示す場合には、赤信号を優先する。これにより、先行車２００が誤発進しても自車１００の発進は抑制される。これにより、自車１００の誤発進が効果的に防止される。
【００３８】
さらに、図３（ｃ）に示すように、トラック等の先行車２００との間に車車間通信装置Ｒを搭載しない先行車３００が位置する場合でも、車車間通信部１１で取得した先行車２００の運転データが先行車２００の停止を示し、かつ、自車データ取得部１５で取得した自車データが自車１００の発進を示す場合には、誤発進であると判定し、その旨をドライバに警告し、自車１００の発進を抑制する。これにより、自車１００の誤発進が効果的に防止できる。
【００３９】
以上説明したように、本発明の実施の形態である車両用誤発進防止装置１は、車車間通信部１１で先行車２００から取得した先行車２００の運転データが先行車２００の停止を示し、かつ、自車データ取得部１５で取得した自車データが自車１００の発進を示す場合に誤発進であると判定し、その旨をドライバに警告するので、先行車２００に後続する自車の誤発進を効果的に防止できる。
【００４０】
また、路車間通信部１４で路側機Ｄから取得した自車１００の進行方向つぎの信号機Ｓの信号データが赤信号を示し、かつ、自車データ取得部１５で取得した自車データが自車１００の発進を示す場合に誤発進であると判定し、その旨をドライバに警告するので、先行車２００，３００に後続する自車１００の誤発進を効果的に防止できる。
【００４１】
また、車車間通信部１１で取得した先行車データが先行車２００の発車を示し、かつ、路車間通信部１４で取得した自車の進行方向の信号機Ｓの信号データが赤信号を示した場合に、先行車２００の発車よりも赤信号を優先する。したがって、先行車２００の発車よりも停止信号を優先することになり、先行車２００が誤発進した場合でも自車１００が誤発進しなくて済む。これにより、先行車２００に後続する自車の誤発進を効果的に防止できる。
【００４２】
また、誤発進判定部１６が誤発進と判定した場合に誤発進抑制部１８が自車１００の発進を抑制するので、先行車に後続する自車の誤発進を効果的に防止できる。
【００４３】
尚、上述した本発明の実施の形態である車両用誤発進防止装置１は、路車間通信部１４で路側機Ｄから取得した自車１００の進行方向つぎの信号機Ｓの信号データが赤信号を示した場合に自車１００の発進を抑制するものとしたが、これに限られるものではない。例えば、赤信号の残り時間が一定以上（例えば、５秒以上）である場合に自車１００の発進を抑制するものとしてもよい。
【産業上の利用可能性】
【００４４】
以上説明したように、本発明に係る車両用誤発進防止装置は、先行車に後続する自車の誤発進を効率的に防止できるので、安全運転を支援する自動車に好適である。
【符号の説明】
【００４５】
１    発進防止装置
１１    車車間通信部
１２    先行車判定部
１３    ＧＰＳ受信部
１４    路車間通信部
１５    自車データ取得部
１６    発進判定部
１７    ドライバ警告部
１８    発進抑制部
１００    自車
１０１    スピーカ
１０２    ディスプレイ
１０３    ブレーキ
１０４    スロットル
２００，３００    先行車
Ｄ    路側機
Ｒ    車車間通信装置
Ｓ    信号機
【図１】
2015176372.tif 000003
【図２】
2015176372.tif 000004
【図３】
2015176372.tif 000005